(57)【要約】【課題】撮像画像の位置情報に基づいて案内に適したポイントを設定する案内ポイント設定装置及びその方法を提供する。【解決手段】撮像画像データに対応する撮像位置情報を含むメタデータを保存する撮像情報保存部（３）を備え、メタデータ選択部（５）が、当該保存された撮像位置情報に基づいて、撮像位置が相互に近接するメタデータを選択し、案内ポイント設定部（９）が、当該選択されたメタデータの撮像位置情報に基づいて案内ポイントを設定する。【選択図】図１
2014164460.tif 000002
【特許請求の範囲】
【請求項１】
撮像画像データに対応する撮像位置情報を含むメタデータを保存する撮像情報保存部と、
前記撮像位置情報に基づいて、撮像位置が相互に近接するメタデータを選択するメタデータ選択部と、
前記選択されたメタデータの撮像位置情報に基づいて案内ポイントを設定する案内ポイント設定部と、
を備える、案内ポイント設定装置。
【請求項２】
前記メタデータは、前記撮像画像データの内容を示すタグを含み、
前記選択されたメタデータのタグに基づき、前記設定された案内ポイントに対応する名称を付与する名称付与部、
を備える、請求項１に記載の案内ポイント設定装置。
【請求項３】
前記タグが共通するメタデータを抽出するメタデータ抽出部、を備え、
前記メタデータ選択部は、前記抽出されたメタデータの撮像位置情報に基づき、前記撮像位置が相互に近接するメタデータを選択する、
請求項２に記載の案内ポイント設定装置。
【請求項４】
撮像画像データに対応する撮像位置情報を含むメタデータを、撮像情報保存部に保存する撮像情報保存ステップと、
メタデータ選択部が、前記撮像位置情報に基づいて、撮像位置が相互に近接するメタデータを選択するメタデータ選択ステップと、
案内ポイント設定部が、前記選択されたメタデータの撮像位置情報に基づいて案内ポイントを設定する案内ポイント設定ステップと、
を備える、案内ポイント設定方法。
【請求項５】
前記メタデータは、前記撮像画像データの内容を示すタグを含み、
名称付与部が、前記選択されたメタデータのタグに基づき、前記設定された案内ポイントに対応する名称を付与する名称付与ステップ、
を備える、請求項４に記載の案内ポイント設定方法。
【請求項６】
メタデータ抽出部が、前記タグが共通するメタデータを抽出するメタデータ抽出ステップ、を備え、
前記メタデータ選択ステップでは、前記抽出されたメタデータの撮像位置情報に基づき、前記撮像位置が相互に近接するメタデータを選択する、
請求項５に記載の案内ポイント設定方法。
【請求項７】
案内ポイントを設定するためのコンピュータプログラムであって、コンピュータを、
撮像画像データに対応する撮像位置情報を含むメタデータを保存する撮像情報保存手段と、
前記撮像位置情報に基づいて、撮像位置が相互に近接するメタデータを選択するメタデータ選択手段と、
前記選択されたメタデータの撮像位置情報に基づいて案内ポイントを設定する案内ポイント設定手段、
として機能させる、コンピュータプログラム。
【請求項８】
前記メタデータは、前記撮像画像データの内容を示すタグを含み、
前記コンピュータを、更に、
前記選択されたメタデータのタグに基づき、前記設定された案内ポイントに対応する名称を付与する名称付与手段、
として機能させる、請求項７に記載のコンピュータプログラム。
【請求項９】
前記コンピュータを、更に、
前記タグが共通するメタデータを抽出するメタデータ抽出手段、として機能させ、
前記メタデータ選択手段は、前記抽出されたメタデータの撮像位置情報に基づき、前記撮像位置が相互に近接するメタデータを選択する、
請求項８に記載のコンピュータプログラム。
【請求項１０】
請求項７〜請求項９のいずれかに記載のコンピュータプログラムを記録する記録媒体。
【発明の詳細な説明】
【技術分野】
【０００１】
本発明は、撮像画像の位置情報に基づいて案内に適したポイントを設定する案内ポイント設定装置及びその方法に関する。
【背景技術】
【０００２】
近年、スマートフォン等の移動体端末装置の普及と相まって、ユーザに観光地等の案内ポイントを提供することを目的とするアプリケーションの開発が広く行われている。このようなアプリケーションにおいて、案内ポイントは、施設の位置情報や現地調査に基づいて設定されているのが一般である。
上記に関連する技術として、例えば、移動体端末装置に備えられた加速度センサ等の歩行センサに基づいて、移動状態から停止状態に遷移したことを検出し、当該停止状態に遷移した位置における移動体端末装置の個体数を特定することにより、多くの人の関心を集めている場所等を客観的かつ正確に把握し、提供することが可能な技術が開示されている（特許文献１）。
本発明に関連する従来技術を開示する特許文献２も参照されたい。
【先行技術文献】
【特許文献】
【０００３】
【特許文献１】特開２００７−１１４９８８号公報
【特許文献２】特開２００４−２１２１３１号公報
【発明の概要】
【発明が解決しようとする課題】
【０００４】
本発明者らは、上記アプリケーションで提供する案内ポイントを自動的に収集すべく、鋭意検討を重ねてきた。その結果、以下の点に気がついた。
例えば、観光者等が観光名所や旧跡等を撮影する際、当該名所や旧跡をより良く見える場所、あるいは、より綺麗に見える場所から撮影を行うことが多い。そこで、撮像画像データに関連付けられた撮像位置情報に着目し、撮像位置が集中しているポイントを案内ポイントと設定することに想到した。
【課題を解決するための手段】
【０００５】
この発明は上述の課題に鑑みてなされたものであり、その第１の局面は次のように規定される。即ち、
撮像画像データに対応する撮像位置情報を含むメタデータを保存する撮像情報保存部と、
前記撮像位置情報に基づいて、撮像位置が相互に近接するメタデータを選択するメタデータ選択部と、
前記選択されたメタデータの撮像位置情報に基づいて案内ポイントを設定する案内ポイント設定部と、
を備える、案内ポイント設定装置。
【０００６】
このように規定される第１の局面の案内ポイント設定装置によれば、撮像画像データに対応する撮像位置情報に基づいて、撮像位置が相互に近接しているポイントを案内ポイントとして設定する。このような案内ポイントの設定によれば、自動的に案内ポイントを設定することが可能となる。また、撮像位置が相互に近接しているポイント、すなわち、撮像位置が集中しているポイントは、多くの観光者等が何らかの名所等を撮影しているポイントである。したがって、当該ポイントは、ユーザに案内するに適したポイントであると考えられる。
上記撮像位置情報は、撮像画像が撮像された位置を示す情報であれば良く、例えば、撮像の際に撮像画像データに自動で付与される位置情報や、撮像画像データに手動で紐付けされる位置情報等が挙げられる。
上記メタデータとは、上記撮像画像データの属性を示す情報であり、上記撮像位置情報の他、撮像された施設名等撮像画像データの内容を示すタグ、撮像された方角、ズーム率、日時、曜日、天気に関する情報等が挙げられる。
【０００７】
この発明の第２の局面は次のように規定される。即ち、
第１の局面に規定の案内ポイント設定装置において、前記メタデータは、前記撮像画像データの内容を示すタグを含み、
前記選択されたメタデータのタグに基づき、前記設定された案内ポイントに対応する名称を付与する名称付与部、を備える。
このように規定される第２の局面の案内ポイント設定装置によれば、メタデータ選択部で選択されたメタデータのタグに基づいて、上記設定された案内ポイントの名称を付与する。当該メタデータのタグは、上記の通り、撮像された施設名等撮像画像データの内容を示すものである。このようなタグを用いることにより当該案内ポイントに適した名称を付与することができる。また、当該メタデータのタグに基づけば、上記名称を自動的に付与することも可能となるため便宜である。
【０００８】
この発明の第３の局面は次のように規定される。即ち、
第２の局面に規定の案内ポイント設定装置において、前記タグが共通するメタデータを抽出するメタデータ抽出部、を備え、
前記メタデータ選択部は、前記抽出されたメタデータの撮像位置情報に基づき、前記撮像位置が相互に近接するメタデータを選択する。
このように規定される第３の局面の案内ポイント設定装置によれば、タグが共通するメタデータを予め抽出し、当該抽出されたメタデータの撮像位置情報に基づいて、撮像位置が相互に近接するメタデータを選択する。タグが共通していれば、撮像対象も共通していると考えられることから、選択されたメタデータに基づく案内ポイントの設定を効率的に行うことができる。
【０００９】
また、この発明の第４の局面は次のように規定される。即ち、
撮像画像データに対応する撮像位置情報を含むメタデータを、撮像情報保存部に保存する撮像情報保存ステップと、
メタデータ選択部が、前記撮像位置情報に基づいて、撮像位置が相互に近接するメタデータを選択するメタデータ選択ステップと、
案内ポイント設定部が、前記選択されたメタデータの撮像位置情報に基づいて案内ポイントを設定する案内ポイント設定ステップと、
を備える、案内ポイント設定方法。
このように規定される第４の局面の発明によれば、第１の局面と同等の効果を奏する。
【００１０】
この発明の第５の局面は次のように規定される。即ち、
第４の局面に規定の方法において、前記メタデータは、前記撮像画像データの内容を示すタグを含み、
名称付与部が、前記選択されたメタデータのタグに基づき、前記設定された案内ポイントに対応する名称を付与する名称付与ステップ、を備える。
このように規定される第５の局面の発明によれば、第２の局面と同等の効果を奏する。
【００１１】
この発明の第６の局面は次のように規定される。即ち、
第５の局面に規定の方法において、メタデータ抽出部が、前記タグが共通するメタデータを抽出するメタデータ抽出ステップ、を備え、
前記メタデータ選択ステップでは、前記抽出されたメタデータの撮像位置情報に基づき、前記撮像位置が相互に近接するメタデータを選択する。
このように規定される第６の局面の発明によれば、第３の局面と同等の効果を奏する。
【００１２】
更に、この発明の第７の局面は次のように規定される。即ち、
案内ポイントを設定するためのコンピュータプログラムであって、コンピュータを、
撮像画像データに対応する撮像位置情報を含むメタデータを保存する撮像情報保存手段と、
前記撮像位置情報に基づいて、撮像位置が相互に近接するメタデータを選択するメタデータ選択手段と、
前記選択されたメタデータの撮像位置情報に基づいて案内ポイントを設定する案内ポイント設定手段、
として機能させる、コンピュータプログラム。
このように規定される第７の局面の発明によれば、第１の局面と同等の効果を奏する。
【００１３】
この発明の第８の局面は次のように規定される。即ち、
第７の局面に規定のコンピュータプログラムにおいて、前記メタデータは、前記撮像画像データの内容を示すタグを含み、
前記コンピュータを、更に、
前記選択されたメタデータのタグに基づき、前記設定された案内ポイントに対応する名称を付与する名称付与手段、として機能させる。
このように規定される第８の局面の発明によれば、第２の局面と同等の効果を奏する。
【００１４】
この発明の第９の局面は次のように規定される。即ち、
第８の局面に規定のコンピュータプログラムにおいて、前記コンピュータを、更に、
前記タグが共通するメタデータを抽出するメタデータ抽出手段、として機能させ、
前記メタデータ選択手段は、前記抽出されたメタデータの撮像位置情報に基づき、前記撮像位置が相互に近接するメタデータを選択する。
このように規定される第９の局面の発明によれば、第３の局面と同等の効果を奏する。
【００１５】
第７〜第９のいずれかの局面に規定されるコンピュータプログラムを記録する記録媒体が第１０の局面として規定される。
【図面の簡単な説明】
【００１６】
【図１】本発明の実施の形態の案内ポイント設定装置１の構成を示すブロック図である。
【図２】本発明の実施の形態の案内ポイント設定装置１の動作の一例を示すフローチャートである。
【図３】本発明の他の実施の形態の案内ポイント設定装置２１の構成を示すブロック図である。
【図４】本発明の他の実施の形態の案内ポイント設定装置３１の構成を示すブロック図である。
【図５】本発明の他の実施の形態の案内ポイント設定装置３１を構成するコンピュータプログラムを示す。
【発明を実施するための形態】
【００１７】
この発明の実施の形態の案内ポイント設定装置を説明する。
図１に、案内ポイント設定装置１の概略構成を示す。
図１に示すように、この案内ポイント設定装置１は、撮像情報保存部３、メタデータ選択部５、第１保存部７、案内ポイント設定部９及び第２保存部１１を備えている。
撮像情報保存部３は、撮像画像データに対応するメタデータを保存する。当該メタデータは撮像位置情報と共に、撮像された施設名等撮像画像データの内容を示すタグ、撮像された方角、ズーム率、日時、曜日、天気に関する情報等が含まれることとできる。当該撮像位置情報は、当該撮像画像の撮像位置に関する情報であれば特に限定されない。例えば、撮像装置に備えられたＧＰＳ機能により、撮像時に取得された座標情報が挙げられる。他の例としては、撮像後に撮像画像データに関連付けられた撮像位置の座標情報であっても良い。当該撮像情報保存部３は、上記メタデータの他、撮像画像データが保存されていても良い。当該撮像画像データ及びメタデータは、撮像装置としてのスマートフォンやカメラから、あるいは、ネットワークを介してダウンロードされ、当該撮像情報保存部３に保存される。
【００１８】
メタデータ選択部５は、上記撮像情報保存部３に保存された撮像位置情報に基づいて、撮像位置が相互に近接するメタデータを選択する。当該選択の方法は、特に限定されないが、例えば、当該撮像位置が所定範囲内に存在するメタデータを選択することとできる。具体的には、地図上において予め定められたメッシュの範囲内に当該撮像位置が存在するメタデータを選択することとできる。また、他の例としては、当該撮像位置の距離に基づいて、撮像位置が近接するメタデータ同士を纏めるようにクラスタリングすることとしても良い。上記メタデータが撮像された日時や曜日を含んでいる場合、これらの情報に基づき、時間帯別、曜日別にメタデータを選択することとしても良い。この場合、後述する案内ポイント設定部９において、時間帯や曜日、月や季節毎に案内ポイントを設定することとできる。当該選択されたメタデータは、第１保存部７に保存される。
【００１９】
案内ポイント設定部９は、上記メタデータ選択部５で選択されたメタデータの撮像位置情報に基づいて案内ポイントを設定する。当該設定される案内ポイントは、案内に適した場所であることを示すことができれば良く、ポイントであっても、また領域であっても良い。また、上記選択されたメタデータの数が、所定閾値以上であるとき、案内ポイントを設定することとできる。当該設定の方法は、特に限定されないが、例えば、上記選択されたメタデータの撮像位置情報に基づいて、当該撮像位置の外縁で形成される領域を案内ポイントとすることとできる。他の例として、当該形成された領域の中心を案内ポイントとして設定しても良い。当該領域の中心は、当該領域における距離的な中心点であっても良いし、当該領域内のメタデータの位置的分散度合いを考慮して中心点を設定しても良い。また、上記メタデータ選択部５において、予め定められたメッシュの範囲内に存在するメタデータを選択した場合には、当該メッシュの外縁、あるいは当該メッシュの中心を案内ポイントとして設定することとできる。当該設定された案内ポイントは、第２保存部１１に保存される。当該設定された案内ポイントは、後述する案内ポイントの名称と併せて案内することにより、ナビゲーションの際に利用することとできる。また、当該案内ポイントにフラグを付すことで、現地調査を行う等の指標として利用することもできる。
【００２０】
図２を用いて、図１に示す案内ポイント設定装置１の動作の一例を説明する。
まずステップ１では、メタデータ選択部５は、予め定められたメッシュに基づいて、撮像情報保存部３に保存されたメタデータの撮像位置が同一メッシュ内に存在するメタデータを選択し、保存する。
上記選択されたメタデータの数が１０以上であるとき（ステップ３：Ｙｅｓ）、案内ポイント設定部９は、ステップ１で選択されたメタデータが位置するメッシュの中心を案内ポイントに設定し、保存する（ステップ５）。
【００２１】
図３に、他の実施の形態の案内ポイント設定装置２１を示す。図３において、図１と同一の要素には同一の符号を付して、その説明を部分的に省略する。
図３に示すのは、上記設定された案内ポイントに、該案内ポイントに対応する名称を付与することが可能な案内ポイント設定装置２１である。すなわち、当該装置２１は、図１に示す装置１において、名称付与部２３を更に備え、第２保存部１１に代えて第２保存部２５を備えている。
この装置２１において、上記撮像情報保存部３は、上記撮像画像データの内容を示すタグとして、例えば、名古屋城を撮像した画像データを示す「名古屋城」、「名古屋の城」や、夜景を撮像した画像データを示す「夜景」、「綺麗な夜景」、「夜景デート」等が保存されている。当該タグは、例えば、撮像者等の手動操作により付与されるものであることとできる。他の例として、当該タグは、撮像画像データの内容に基づいて、自動で付与されるものであっても良い。例えば、撮像画像データに関連付けられている撮像位置情報を用いて決定等されたタグを挙げることができる。
【００２２】
名称付与部２３は、上記第１保存部７を参照し、上記メタデータ選択部５で選択されたメタデータのタグに基づいて、上記案内ポイント設定部９で設定された案内ポイントに対応する名称を付与する。当該付与の方法は、特に限定されないが、上記選択されたメタデータのうち、同一又は類似するタグが所定数以上であるとき当該タグに基づいて名称を付与することとできる。例えば、選択されたメタデータのうち、「名古屋城」のタグが付与されたメタデータが５以上存在するとき、上記案内ポイントに「名古屋城」の名称を付与する。上記付与方法の他の例として、選択されたメタデータのタグを比較して、共通するテキスト部分を上記案内ポイントの名称として付与することとできる。例えば、選択されたメタデータに「夜景」、「綺麗な夜景」、「夜景デート」のタグが付与されているとき、当該３つのタグに共通するテキスト部分「夜景」を案内ポイントの名称として付与する。また、上記「名古屋城」のタグについて、サブタグとして「本丸」、「天守閣」等が付与されている場合には、当該サブタグの共通性も考慮して、上記案内ポイントに「名古屋城−本丸」、「名古屋城−天守閣」等の名称を付与することとできる。当該案内ポイントの名称は、一つに限られず、複数の名称を付与することとしても良い。当該付与された名称は、上記設定された案内ポイントに関連付けて第２保存部２５に保存される。
【００２３】
図４に、他の実施の形態の案内ポイント設定装置３１を示す。図４において、図１及び図２と同一の要素には同一の符号を付して、その説明を部分的に省略する。
図４に示すのは、タグが共通するメタデータを予め抽出することにより、上記撮像位置が相互に近接するメタデータの選択、選択されたメタデータに基づく案内ポイントの設定を効率的に行うことができる案内ポイント設定装置３１である。すなわち、当該装置３１は、図２に示す装置２１において、メタデータ抽出部３３を更に備え、メタデータ選択部５及び第１保存部７に代えて、メタデータ選択部３５及び第１保存部３７を備える。
【００２４】
メタデータ抽出部３３は、上記撮像情報保存部３に保存されたメタデータのタグに基づいて、当該タグが共通するメタデータを抽出する。当該抽出の方法は、特に限定されないが、例えば、タグが完全に一致するメタデータを抽出することとしても良いし、前方一致あるいは部分的に一致するタグを抽出することとしても良い。
この装置３１において、メタデータ選択部３５は、上記メタデータ抽出部３３で抽出されたメタデータの撮像位置情報に基づいて、撮像位置が相互に近接するメタデータを選択する。当該選択の方法は、上記メタデータ選択部５と同様の方法により行うこととできる。当該選択されたメタデータは、第１保存部３７へ保存する。
【００２５】
図５は案内ポイント設定装置２１のハード構成を示すブロック図である。
この装置２１のハード構成は、一般的なコンピュータシステムと同様に中央制御装置２２１に対してシステムバス２２２を介して各種の要素が結合されたものである。
中央制御装置２２１は汎用的なＣＰＵ、メモリ制御装置、バス制御装置、割り込み制御装置更にはＤＭＡ（直接メモリアクセス）装置を含み、システムバス２２２もデータライン、アドレスライン、制御ラインを含む。システムバス２２２にはＲＡＭ（ランダムアクセスメモリ）２２３、不揮発メモリ（ＲＯＭ２２４，ＣＭＯＳ−ＲＡＭ２２５等）からなるメモリ回路が接続されている。ＲＡＭ２２３に格納されるデータは中央制御装置２２１や他のハードウエア要素によって読み取られたり、書き換えられたりする。不揮発メモリのデータは読み取り専用であり、装置をオフとしたときにもそこのデータは喪失されない。このハードウエアを制御するシステムプログラムはハードディスク装置２２７に保存されており、また、ＲＡＭ２２３に保存されており、ディスクドライブ制御装置２２６を介して適宜中央制御装置２２１に読みこまれて使用される。このハードディスク装置２２７には、汎用的な構成のコンピュータシステムを案内ポイント設定装置２１として動作させるためのコンピュータプログラムを保存する領域が確保される。
【００２６】
このハードディスク装置２２７の所定の領域が、メタデータ選択部５で選択されたメタデータを保存する保存部７用に割り付けられる。
ハードディスク装置２２７の他の領域が撮像情報保存部３及び案内ポイント設定部９で設定された案内ポイントを保存する保存部１１用に割り付けられる。
システムバス２２２には、フレキシブルディスク２３２に対してデータの読み込み及び書き込みを行うフレキシブルドライブ制御装置２３１、コンパクトディスク２３４に対してそれからデータの読み取りを行うＣＤ／ＤＶＤ制御装置２３３が接続されている。この例ではプリンタインターフェース２３７にプリンタ２３８を接続させている。
システムバス２２２にはキーボード・マウス制御装置２４１が接続され、キーボード２４２及びマウス２４３からのデータ入力を可能としている。モニタ２４５がモニタ制御装置２４４を介してシステムバス２２２に接続されている。モニタ２４５にはＣＲＴタイプ、液晶タイプ、プラズマディスプレイタイプなどを利用することができる。
各種の要素（モデムなど）の増設を可能とするため空きのスロット２５１が準備されている。
【００２７】
このコンピュータシステムからなる案内ポイント設定装置２１を稼動させるために必要なプログラム（ＯＳプログラム、アプリケーションプログラム（本発明のものも含む））は、各種の記録媒体を介してシステムの中にインストールされる。例えば非書き込み記録媒体（ＣＤ−ＲＯＭ、ＲＯＭカード等）、書き込み可能記録媒体（ＦＤ、ＤＶＤ等）、更にはネットワークＮを利用して通信媒体の形式でインストールすることも可能である。勿論、不揮発メモリ２２４、２２５やハードディスク装置２２７に予めこれらのプログラムを書きこんでおくこともできる。
【００２８】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００２９】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００３０】
１  ２１  ３１  案内ポイント設定装置
３  撮像情報保存部
５  ３５  メタデータ選択部
９  案内ポイント設定部
２３  名称付与部
３３  メタデータ抽出部
【図１】
2014164460.tif 000003
【図２】
2014164460.tif 000004
【図３】
2014164460.tif 000005
【図４】
2014164460.tif 000006
【図５】
2014164460.tif 000007